(57)【要約】本発明は、デジタルテレビジョンデコーダに関し、ディスプレイ装置とアナログデータを送信及び受信することが意図されるディスプレイ装置との少なくとも１つの第一の双方向性インタフェース、ディスプレイ装置にアナログデータを送信することが意図されるディスプレイ装置との少なくとも１つの第二の単方向性インタフェースを有する。本発明によれば、当該デコーダは、第一のインタフェースでビデオストリームの受信を検出する手段、ビデオ信号が第一のインタフェースで受信されないときに第二のインタフェースにデータの送信を切り替える手段を有する。
2008537867.tif 000002
【特許請求の範囲】
【請求項１】
ディスプレイ装置との間でアナログデータを送信及び受信することが意図される、前記ディスプレイ装置との少なくとも１つの第一の双方向性インタフェースと、
前記ディスプレイ装置にアナログデータを送信することが意図される、前記ディスプレイ装置との少なくとも１つの第二の単方向性インタフェースとを有するデジタルテレビジョンデコーダであって、
当該デコーダは、
第一のインタフェースでビデオストリームの受信を検出する手段と、
ビデオ信号が前記第一のインタフェースで受信されないときに第二のインタフェースにデータの送信を切り替える手段とを含む、
ことを特徴とするデジタルテレビジョンデコーダ。
【請求項２】
前記ディスプレイ装置との間でデジタルデータを受信及び送信することが意図される第三のインタフェースを有する、
ことを特徴とする請求項１記載のデコーダ。
【請求項３】
前記第二のタイプのインタフェースと前記第三のタイプのインタフェースに送信されたデータは、高精細度フォーマットにおけるデータであり、前記第一のタイプのインタフェースで送信されたデータは、標準精細度のフォーマットのデータである、
ことを特徴とする請求項２記載のデコーダ。
【請求項４】
前記高精細度のフォーマットに係るデータと標準精細度のフォーマットに係るデータを発生する手段を有する、
ことを特徴とする請求項３記載のデコーダ。
【請求項５】
前記第三のタイプのインタフェースで制御データが受信された場合、当該デコーダと前記ディスプレイ装置との間のデータのやり取りを可能にするように、前記第三のタイプのインタフェースがアクチベートされる、
ことを特徴とする請求項４記載のデコーダ。
【請求項６】
前記第三のタイプのインタフェースからデータアイテムが受信されない場合、前記ビデオ検出の手段が前記第一のタイプのインタフェースでデータを検出した場合、前記第一のタイプのインタフェースは、当該デコーダと前記ディスプレイ装置の間のデータの交換が可能となるようにアクチベートされる、
ことを特徴とする請求項５記載のデコーダ。
【請求項７】
前記第一のタイプのインタフェース及び前記第三のタイプのインタフェースでデータアイテムが検出されない場合、前記第二のタイプのインタフェースがアクチベートされる、
ことを特徴とする請求項６記載のデコーダ。
【請求項８】
ディスプレイ装置との少なくとも２つの異なるタイプのインタフェースであって、少なくとも２つの符号化フォーマットに従ってデータをデコード可能な少なくとも２つの異なるタイプのインタフェースを有するデジタルテレビジョンデコーダであって、
それぞれのインタフェースは、前記フォーマットのうちの１つに従って前記ディスプレイ装置にデータを送信することが意図されており、
前記ディスプレイ装置への接続のために使用されるインタフェースを検出する手段と、
前記インタフェースによりサポートされる符号化フォーマットに従ってデータをデコードする手段と、
を有することを特徴とするデジタルテレビジョンデコーダ。
【発明の詳細な説明】
【技術分野】
【０００１】
本発明は、デジタルテレビジョンデコーダに関する。
【背景技術】
【０００２】
ビデオ圧縮（MPEG4-AVC）、集積回路における変調（xDSL、DVB-S2）、大型及びフラットディスプレイの開発（LCD（「液晶ディスプレイ」を意味する頭文字）、プラズマ、DLP（「デジタル光処理」を意味する頭文字））の新たな技術の実現は、米国及びヨーロッパにおける高精細テレビジョンの導入及びロールアウトを駆動している。
【０００３】
高精細（HD:  High-definition）は、１９２０×１０８０インタレース又は１２８０×７２０プログレッシブといった、新たなフォーマットにおける大型画像により一般に特徴づけされる。
【０００４】
MPEG4-AVC圧縮は、今日、必要な帯域幅を減少することで、地上波、衛星又はADSL-2＋ネットワークを通してＨＤテレビの番組の伝送を可能にする。したがって、これら様々なマーケットで新たな受信及びデコード端末が現れている。
【０００５】
ＨＤビデオのプレゼンテーションは、それらのフル解像度で画像を表示可能なＨＤディスプレイを必要とする。さらに、デコーダからディスプレイにＨＤビデオを伝送するため、新たなインタフェースが必要である。このため、ＹｐｒＰｂとも呼ばれる標準化されたアナログインタフェースＳＭＰＴＥ３００−２７４、及びＤＶＩ又はＨＤＭＩデジタルインタフェースが存在する。ＹｐｒＰｂインタフェースは、３つの同軸導体ケーブルで伝送される３つのアナログ信号からなる。デジタルインタフェースは、最近であって、より洗練されており、典型的に、そのデジタル入力からディスプレイをアクチベートするようにソースがディスプレイに要求することができるように、デジタルで伝送されたビデオの暗号化、及び２つの機器間での制御通信を可能にする。
【０００６】
デジタルインタフェースはＨＤディスプレイに導入されているので、今日、異質のマーケットでロールアウトされたディスプレイのストックが存在し、デコーダにデジタル及びアナログの両者のタイプのインタフェースが設けられるのを強制する。
【０００７】
既存の標準精細度（SD:  Single-Definition）機器との互換性を保持するため、デコーダ及びディスプレイには、トラディショナルなＳＤインタフェース、すなわち欧州におけるＳＣＡＲＴソケットが設けられる。
【０００８】
したがって、ＨＤデコーダは、ＨＤにおけるＨＤＭＩ（「高精細マルチメディアインタフェース」を意味する頭文字）又はＤＶＩ（「デジタルインタフェースビデオ」を意味する頭文字）、ＨＤにおけるＹｐｒＰｂ、ＲＧＢコンポーネント及びＣＶＢＳコンポジットをもつＳＤにおけるＳＣＡＲＴといった、かなりの数のビデオインタフェースを示す。
【０００９】
シングルインタフェースが一度に使用されると仮定すると、コストについて最適化される所定のデコーダアーキテクチャは、ＨＤ又はＳＤといった一度にシングルタイプのインタフェース以外のものに（デコーダを制御するためにメニューをもつ）メインビデオ信号を伝送することができない。
【００１０】
デコーダをディスプレイに連結すると、どのインタフェースがデコーダでアクチベートされたインタフェースであるか、このインタフェースが問題となっているディスプレイについて最も明らかなインタフェースでは必ずしもないことを知るという問題が生じる。ひとたびデフォルトのインタフェースが接続されると、所定のケースで、その他のインタフェースを使用するようにデコーダを再びコンフィギュアし、次いで、ビデオの表示及びディスプレイでデコーダを制御するためのメニューの表示を回避するようにコネクションを変更する必要がある。
【発明の開示】
【発明が解決しようとする課題】
【００１１】
本発明は、上述された問題の少なくとも１つを解決することを目的とする。  
【課題を解決するための手段】
【００１２】
上記目的を達成するため、本発明は、デジタルテレビジョンデコーダを提案するものであり、当該デコーダは、ディスプレイ装置とアナログデータを送信及び受信することが意図されるディスプレイ装置との少なくとも１つの第一の双方向性インタフェース、ディスプレイ装置にアナログデータを送信することが意図されるディスプレイ装置との少なくとも１つの第二の単方向性インタフェースを有する。
【００１３】
本発明によれば、当該デコーダは、第一のインタフェースでビデオストリームの受信を検出する手段、ビデオ信号が第一のインタフェースで受信されないときに第二のインタフェースにデータの送信を切り替える手段を有する。
【００１４】
また、本発明は、ディスプレイ装置と異なるタイプであって、少なくとも２つの符号化フォーマットに従ってデータをデコード可能な少なくとも２つのインタフェースを有し、それぞれのインタフェースは、前記フォーマットのうちの１つに従ってディスプレイ装置にデータを送出することが意図されている。本発明によれば、デコーダは、ディスプレイ装置への接続のために使用されるインタフェースを検出する手段、前記インタフェースによりサポートされる符号化フォーマットに従ってデータをデコードする手段を有する。
【００１５】
本発明は、添付図面を参照して、全体として限定するものではない有利な例示的な実施の形態及び実現のモードにより良好に理解され、説明されるであろう。
【発明を実施するための最良の形態】
【００１６】
本実施の形態で記載される好適な実施の形態によれば、第一のタイプのインタフェースは、ＳＣＡＲＴタイプのインタフェースであり、第二のタイプのインタフェースは、ＹｐｒＰｂタイプのインタフェースであり、第三のタイプのインタフェースは、ＨＤＭＩ／ＤＶＩタイプのインタフェースである。デコーダは、高精細度のデータ及び標準精細度のデータをデコード可能なデコーダである。ディスプレイ装置は、テレビジョンセットである。
【００１７】
図１は、係るデコーダを例示する。  
ＳＣＡＲＴタイプのインタフェースは、アナログタイプのオーディオ／ビデオデータを伝達可能にするインタフェースである。このインタフェースは、したがって、インタフェースでのデータの存の即座の検出を可能にしない。したがって、デコーダに幾つかのインタフェースが設けられているとき、そのうちの少なくとも１つは、ＳＣＡＲＴタイプであり、すなわちそこでデータの存在を検出することが不可能であり、どのインタフェースがテレビジョンに接続されたディスプレイであるか、結果的に、どのインタフェースでオーディオ／ビデオデータのストリームを送信することが必要であるかを知ることは困難である。
【００１８】
デコーダは、ＹｐｒＰｂタイプ（図示せず）の第二のタイプのインタフェース、及びＨＤＭＩ又はＤＶＩ標準に従う第三のタイプのインタフェースを更に有する。
【００１９】
ＳＣＡＲＴタイプのインタフェースは、標準精細度（SD:  Single  Definition）フォーマットを伝達するのを可能にする。ＨＤＭＩインタフェースは、高精細データを伝達するのを可能にし、ＹｐｒＰｂインタフェースは、高精細フォーマットでデータを伝達するのを可能にする。
【００２０】
デコーダは、ビデオ信号がＳＣＡＲＴインタフェースのレベルで現れる場合にデコードする手段を含む。係るビデオデコーディングの手段は、公知のコンポーネントに基づいて実施されるか、ディスクリートなコンポーネントに基づいて実施される場合がある。したがって、これらのコンポーネントは、ＳＣＡＲＴソケットでのテレビジョンへの接続の検出を可能にする。
【００２１】
図２は、ＳＣＡＲＴインタフェースとＹＰｒＰｂインタフェースとの間のデコーダの切換を動作するフローチャートを表す。
【００２２】
ステップＳ１の間、デコーダはゼロにリセットされる。このステップは、たとえばデコーダのパワーダウン及びパワーアップに対応する。ステップＳ２の間、デコーダは、ＨＤモードでデータをデコードするために構成され、したがって、ＨＤＭＩインタフェースによりテレビジョンと通信するか、ＹＰｒＰｂインタフェースによりテレビジョンと通信する。ＭＨＤＩ／ＤＶＩインタフェースは、双方向性インタフェースであり、テレビジョンのコネクション又はノンコネクションをデコーダが検出するのを可能にする。したがって、テレビジョンが接続されていない場合、高精細度データはＹｐｒＰｂインタフェースで送信される。
【００２３】
ステップＳ３の間、デコーダは、ＳＣＡＲＴソケットでの信号の検出の手段により、受信されたアナログ信号のレベルでソケットの状態を分析することで、テレビジョンがＳＣＡＲＴソケットとも呼ばれるＳＣＡＲＴインタフェースを介してデコーダに接続されているかを確認する。
【００２４】
ステップＳ４の間、ＳＣＡＲＴソケットの信号は、受信された信号がＳＣＡＲＴソケットの接続を示す現実に有効な信号であるかを知るように、判定を行うために十分に長い時間について観察される。
【００２５】
ステップＳ５の間、ＳＣＡＲＴソケットとの接続の状態の観点で、テレビジョンがＳＣＡＲＴソケットに接続される場合にステップＳ６に進み、さもなければ、ステップＳ７に進む。
【００２６】
ステップＳ７の間、デコーダは、標準精細度のデコーディングモード、ＳＣＡＲＴソケットによりサポートされるデータフォーマットに切り替える。  
さもなければ、テレビジョンがＳＣＡＲＴソケットを介してデコーダに接続されない場合、デコーダは高精細度モードのままとなる。  
ステップＳ８の間、各種インタフェースを観察するために観察モードに戻る。
【００２７】
したがって、デコーダは、デフォルトにより高精細度モードにある。接続されるインタフェースのタイプに従って、標準精細度モードに切り替える。アナログタイプのＳＣＡＲＴインタフェースは、有効なデータを伝達するのが可能であるが、制御データは、ソケットがテレビジョンに実際に接続されたかを検出するのを可能にしない。テレビジョンがこのソケットに実際に接続されたかを検出することが可能である。
【００２８】
したがって、本発明は、同時に、標準精細度と高精細度でデータデコーダが異なる特性のインタフェースと動作するのを可能にし、ユーザのためにデコーダの操作及びコンフィギュレーションを回避する。パワーアップの間、デコーダは、接続されるインタフェースの関数として（ＨＤ又はＳＤ）で動作するモードを自動的に認識することが可能である。この自動認識は、ユーザにとってトランスペアレントである。次いで、ユーザは、このデコーダに接続しているディスプレイのタイプの機能として高精細度又は標準精細度のフォーマットでデータを表示する。
【００２９】
以下の表は、接続されるインタフェースの機能としてデコーダの様々なコンフィギュレーションを示している。
【００３０】
【表１】
2008537867.tif 000003
本発明は、所与の実施の形態に制限されない。  
特に、ゼロにリセットするステップ１の間、デコーダを標準精細度モードにすることが可能である。その後、ＳＣＡＲＴソケットが接続された場合、ＳＣＡＲＴインタフェースの近くに位置されるデコーダのビデオ検出手段はそれを検出し、デコーダは、標準精細度モードのままとなる。他方で、ビデオ検出の手段がＳＣＡＲＴソケットの存在を検出しない場合、デコーダは、高精細モードに切換わり、ＨＤＭＩインタフェースが接続されない場合にＹｐｒＰｂインタフェースをアクチベートする。
【図面の簡単な説明】
【００３１】
【図１】本発明の好適な実施の形態に係るデコーダを表す図である。
【図２】図１のデコーダを動作するフローチャートである。
【図１】
2008537867.tif 000004
【図２】
2008537867.tif 000005
【国際調査報告】
2008537867.tif 000006
2008537867.tif 000007